(57)【要約】【課題】  使用者が処理したい衣類に表示されている表示記号と同じ表示記号を照合する時間を減らし、設定漏れを抑止し、洗濯する際に衣類の損傷を抑止する衣類処理装置を提供することである。【解決手段】  洗濯処理、脱水処理、及び乾燥処理の少なくともいずれか1つの処理とその処理で行う行程内容とを設定し、設定した処理を実行する衣類処理装置において、繊維製品の取り扱いに関する表示記号の識別が可能な表示記号読み込み部と、表示記号読み込み部から得た表示記号の情報に対応付けて設定可能又は設定不可能な処理及び行程内容を記憶する記憶部と、表示記号読み込み部から得た表示記号の情報に対応する処理及び行程内容を記憶部から取得し、取得した処理及び行程内容を設定する制御部と、を備える。【選択図】  図５
2020146181.tif 000002
【特許請求の範囲】
【請求項１】
洗濯処理、脱水処理、及び乾燥処理の少なくともいずれか１つの処理と前記処理で行う行程内容とを設定し、設定した前記処理を実行する衣類処理装置において、
繊維製品の取り扱いに関する表示記号の識別が可能な表示記号読み込み部と、
前記表示記号読み込み部から得た前記表示記号の情報に対応付けて設定可能又は設定不可能な前記処理及び前記行程内容を記憶する記憶部と、
前記表示記号読み込み部から得た前記表示記号の情報に対応する前記処理及び前記行程内容を前記記憶部から取得し、取得した前記処理及び前記行程内容を設定する制御部と、を有することを特徴とする衣類処理装置。
【請求項２】
洗濯処理、脱水処理、及び乾燥処理の少なくともいずれか１つの処理と前記処理で行う行程内容とを設定し、設定した前記処理を実行する衣類処理装置において、
外部機器から繊維製品の取り扱いに関する表示記号の識別が可能な表示記号の情報を受信する通信部と、
前記通信部で受信された前記表示記号の情報に対応する処理及び行程内容を設定する制御部と、を有することを特徴とする衣類処理装置。
【請求項３】
前記表示記号の情報は、前記衣類処理装置において処理できない表示記号の情報を有し、
前記記憶部又は前記通信部から前記処理できない表示記号の情報が読み込まれた場合、処理ができないことを報知する、請求項１又は請求項２に記載の衣類処理装置。
【請求項４】
前記記憶部は、前記表示記号の情報と、前記表示記号の情報に対応する処理及び行程内容と、が対応付けて記憶されている、請求項１に記載の衣類処理装置。
【請求項５】
前記記憶部に記憶された、前記表示記号の情報と前記表示記号の情報に対応する処理及び行程内容は、前記通信部を介して、更新される、請求項２記載の衣類処理装置。
【発明の詳細な説明】
【技術分野】
【０００１】
本発明は、衣類処理装置に関するものである。
【背景技術】
【０００２】
洗濯機、乾燥機、洗濯乾燥機などの衣類に対し、洗濯や脱水や乾燥を行う衣類処理装置では、衣類の材質に応じてあらかじめ設定された処理コースや使用者が設定した処理内容に従い様々な機械力で各種の処理を実行する。特許文献１には、「洗濯処理、脱水処理、及び乾燥処理の少なくともいずれか１つの処理と前記処理で行う行程内容とを設定し、設定した前記処理を実行する衣類処理装置において、繊維製品の取り扱いに関する表示記号が選択される選択部と、前記表示記号に対応付けて設定可能な前記処理及び前記行程内容を記憶する記憶部と、前記選択部で選択された前記表示記号に対応する前記処理及び前記行程内容を前記記憶部から取得し、取得した前記処理及び前記行程内容の中から実行する前記処理及び前記行程内容を設定する制御部とを備えるものである。」ことを特徴としている衣類処理装置と記載されている。
【０００３】
この従来の衣類処理装置は、使用者が処理したい衣類の繊維製品の取り扱いに関する表示記号を確認し、使用者が衣類処理装置において前記表示記号と同じ表示記号を選択することで、前記衣類の繊維製品の取り扱いに関する表示記号に対応した衣類処理を行う。
【先行技術文献】
【特許文献】
【０００４】
【特許文献１】特開２０１７−１２３９１３号公報
【発明の概要】
【発明が解決しようとする課題】
【０００５】
特許文献１では、繊維製品の取り扱いに関する表示記号を選択するために、その表示記号を表示する装置が必要となるが、日本国では平成２８年以降施行のＪＩＳ Ｌ０００１において定められている表示記号の数は４１個の表示記号が扱われており、衣類処理装置の使用者は４１個の表示記号の中から処理したい衣類に表示されている表示記号と照合しなければならないため、照合にかかる時間を短時間とはできないことと、使用者が衣類処理装置に入力している間にどの表示記号を入力したのか忘れてしまう懸念もある。
【０００６】
以上により、使用者が処理したい衣類に対し、衣類処理装置が推奨する処理を設定するには時間と手間がかかり、設定漏れが起きた際には衣類を傷めてしまうことがあった。
【０００７】
本発明の目的は、使用者が処理したい衣類に表示されている表示記号と同じ表示記号を照合する時間を減らし、設定漏れを抑止し、洗濯する際に衣類の損傷を抑止する衣類処理装置を提供することである。
【課題を解決するための手段】
【０００８】
上述した課題を解決するために、本発明の衣類処理装置は、洗濯処理、脱水処理、及び乾燥処理の少なくともいずれか1つの処理とその処理で行う行程内容とを設定し、設定した処理を実行するものであって、繊維製品の取り扱いに関する表示記号の識別が可能な表示記号読み込み部と、表示記号読み込み部から得た表示記号の情報に対応付けて設定可能又は設定不可能な処理及び行程内容を記憶する記憶部と、表示記号読み込み部から得た表示記号の情報に対応する処理及び行程内容を記憶部から取得し、取得した処理及び行程内容を設定する制御部と、を有する。
【０００９】
また、外部機器から繊維製品の取り扱いに関する表示記号の識別が可能な表示記号の情報を受信する通信部と、通信部で受信された表示記号の情報に対応する処理及び行程内容を設定する制御部と、を有する。
【発明の効果】
【００１０】
本発明によれば、使用者が処理したい衣類に表示されている表示記号と同じ表示記号を照合する時間を減らし、設定漏れを抑止し、洗濯する際に衣類の損傷を抑止する衣類処理装置を提供できる。
【図面の簡単な説明】
【００１１】
【図１】本発明に係るドラム式洗濯乾燥機の外観を示す図である。
【図２】本発明のドラム式洗濯乾燥機の一部の内部構造を示す斜視図である。
【図３】本発明のドラム式洗濯乾燥機の内部構造の側面を示す図である。
【図４】繊維製品の取扱いに関する表示記号の一例を示した図である。
【図５】本発明の記憶部に記憶されたテーブルの一例を示した図である。
【発明を実施するための形態】
【００１２】
以下、実施例を図面を用いて説明する。
【００１３】
本実施例では、ドラム式洗濯乾燥機の例を用いて説明する。
【００１４】
図１は実施例におけるドラム式洗濯乾燥機の外観図である。図２は内部の構造を示すために筐体の一部を切断して示した斜視図、図３は内部の構造を示す側面図である。
【００１５】
本実施例のドラム式洗濯乾燥機は、洗濯処理、脱水処理、及び乾燥処理の少なくともいずれか１つの処理とその処理で行う行程内容とを設定し、設定した処理を実行する衣類処理装置であって、衣類を収容し洗濯及び脱水、乾燥を行うドラム３と、このドラム３を回転させるモータ４と、ドラム３を支持する筐体１を備えている。ここで、外郭を構成する筐体１は、ベース１ｈの上に取り付けられており、左右の側板１ａ、１ｂ、前面カバー１ｃ、背面カバー１ｄ、上面カバー１ｅ、下部前面カバー１ｆで構成されている。左右の側板１ａ、１ｂは、コの字型の上補強材（図示せず）、前補強材３７、後補強材（図示せず）で結合されており、ベース１ｈを含めて箱状の筐体１を形成し、筐体として十分な強度を有している。
【００１６】
また、衣類を出し入れするための投入口を塞ぐドア９が前面カバー１ｃの略中央に設けられ、前補強材に設けたヒンジ９ｃで開閉可能に支持されている。ドア開放レバー９ｂを引くことでロック機構（図示せず）が外れてドアが開き、ドアを前面カバー１ｃに押し付けることでロックされて閉じる。前補強材３７は、後述する外槽の開口部と同心に、衣類を出し入れするための円形の開口部を有している。ドア９の外槽開口部を閉じる部分は、乾燥時の熱に耐えられるよう凹状のガラス９ａでできている。
【００１７】
更に、筐体１の上部前面右側には、操作パネル６が設けられており、電源スイッチ１１、操作スイッチ１２、１３、表示器１４を備える。
【００１８】
操作パネル６には、操作表示制御装置６１が組み込まれており、筐体１上部の奥側に設けた、洗濯槽を回転させるためのモータ４を制御する機能をもつ制御装置３８に電気的に接続している。
【００１９】
ドラム３は、回転可能に支持された円筒状で、その円筒面および背面に通水および通風のための多数の貫通孔を有し、前側端面に衣類を出し入れするための開口部３ａを設けてある。ドラム３の前端部にはドラム３と同心状にドラム３と一体の流体バランサ３ｃを備えている。円筒面の内面には軸方向に延びるリフター３ｂが複数個設けてあり、洗濯、乾燥時にドラム３を回転すると、衣類はリフター３ｂと遠心力で円筒面に沿って持ち上がり、重力で落下するように動きを繰り返す。ドラム３の回転中心軸は、水平または開口部３ａ側が高くなるように傾斜している。
【００２０】
また、洗濯水を溜めるための円筒状の外槽２が、筐体１に支持され、ドラム３を同軸上に内包し、前面は開口し、背面の外側中央にモータ４を取り付ける。モータ４の回転軸４ａは、外槽２を貫通し、ドラム３の背面の中央部と結合している。外槽３の前面開口部には外槽カバー２ｄを設け、外槽内への貯水を可能としている。外槽カバー２ｄの前側中央には、衣類を出し入れするための開口部２ｃを有している。本開口部２ｃと前補強材３７に設けた開口部は、ゴム製のベローズ１０で接続しており、ドア９を閉じることでドア９のガラス９ａがベローズ１０のリップ部に接触し、外槽２を水封する。また、ドア９を閉じると、凹状のガラス９ａの先端が外槽カバー２ｄの開口部２ｃ及びドラム３の開口部３ａを塞ぐようになる。この時、ガラス９ａの先端とドラム３の前端（流体バランサ３ｃの前端部）との軸方向位置を略一致させており、ガラス９ａの外周部と外槽カバー２ｄとのすき間に衣類が入り込まないように配慮してある。
【００２１】
窪み部の最下部には、排水口２ｂが設けてあり、排水ホース２６が接続されている。排水ホース２６の途中には循環ポンプ２２、糸屑フィルタ２３、排水弁２１が設けてあり、排水弁２１を閉じて給水することで外槽２に水を溜め、排水弁２１を開いて外槽２内の水を機外へ排出する。
【００２２】
筐体１内の上部左側には、洗剤容器７が設けられており、図１の二点鎖線で示すように開閉式のふた７ａを開けて洗剤類を入れる。洗剤容器７は、粉末洗剤、液体洗剤、柔軟仕上げ剤などを別々に投入できるよう、内部が複数の部屋に区切られている。
【００２３】
筐体１内の上部後方には給水電磁弁や風呂水給水ポンプ、水位センサなど給水に関連する部品を設けてある。上面カバー１ｅには、水道栓からの給水ホース接続口１６、風呂の残り湯の風呂水給水ホース接続口１７が設けてある。給水電磁弁や風呂水給水ポンプと洗剤容器７とは、給水パイプ（図示せず）で接続されている。洗剤容器７は外槽２に蛇腹ホースで接続されており、給水電磁弁を開く、あるいは風呂水給水ポンプを運転することで、洗剤容器７を経由して外槽２に水道水あるいは風呂水を供給する。使用者が洗剤容器７に投入した洗剤類は、水とともに外槽２の内壁面に沿って外槽２の底部に供給されるようになっており、未溶解の粉末洗剤や高濃度の液体洗剤、柔軟仕上げ剤などが直接ドラム３内の衣類にかかり、色落ちや色むらが発生しないようにしている。
【００２４】
循環ポンプ２２は吐き出し口を２個有しており、循環ポンプ２２の回転方向を切り替えることにより、吐き出し口の切り替えが可能である。これにより、洗剤溶かしと洗濯水の衣類への散布が可能となっている。洗剤を溶かす時は、循環ポンプ２２を逆回転させる。外槽２の底部に供給された未溶解の粉末洗剤を含んだ少量の水は、排水口２ｂから糸屑フィルタ２３を通り循環ポンプ２２に入り、吐き出し口２２ｂから循環水ホース２５ｂを通り外槽２（槽カバー２ｄ）の底部に戻るよう循環する。この時、循環ポンプ２２内で未溶解の洗剤と水が強力に撹拌され、効率よく洗剤を溶かし、高濃度の洗剤液を生成することができる。一方、洗濯中は水循環ポンプ２２を正回転させる。外槽２の底部に溜まった洗濯水は排水口２ｂから糸屑フィルタ２３を通り循環ポンプ２２に入り、吐き出し口２２ａから循環水ホース２５ａを通り槽カバー２ｄの上部に設けた散水口（図示せず）からドラム３内に散水され、外槽２の底部に戻るように循環する。散水口は、散水が図３の矢印Ｓで示すように、ドラム３の奥側から手前側まで届くように形成されている。これにより、洗濯水を衣類に万遍なく降りかけることができるため、高い洗浄力やすすぎ性能が得られるとともに、少ない洗濯水を循環ポンプ２２で循環させ繰り返し使用するため節水が可能である。
【００２５】
糸屑フィルタ２３は、下部前面カバー１ｆに設けた扉１ｇを開けることで容易に着脱できる。
【００２６】
外槽９の後部の最下部にはエアトラップが設けてあり、チューブで水位センサと接続し、外槽２内の水位を検出する。
【００２７】
外槽２は、下側をベース１ｈに固定されたサスペンション５（コイルばねとダンパで構成）で防振支持されている。また、外槽２の上側は上部補強部材に取り付けた補助ばね（図示せず）で支持されており、外槽２の前後方向への倒れを防ぐ。
【００２８】
乾燥ダクト２９が、筐体１の背面内側に縦方向に設置されており、そのダクト下部は外槽２の背面下方に設けた吸気口にゴム製の蛇腹管２９ａで接続されている。乾燥ダクト２９内には、水冷除湿機構（図示せず）を内蔵しており、給水電磁弁から水冷除湿機構へ冷却水を供給する。冷却水は乾燥ダクト２９の壁面を伝わって流下し、吸気口から外槽２に入り排水口２ｂから排出される。
【００２９】
乾燥ダクト２９の上部は、筐体１内の上部右側後方に設置した乾燥フィルタ８に接続している。乾燥ダクト２９から乾燥フィルタ８へ入った空気は、乾燥フィルタ８のメッシュフィルタで糸くずが除去される。乾燥フィルタ８の掃除は、図１の一点鎖線で示すように乾燥フィルタ８を上方に引き抜いて行う。また、乾燥フィルタ８は吸気ダクトに接続されており、吸気ダクトの他端は送風ユニット２８の吸気口と接続している。
【００３０】
ドラム３内に風を吹きつける手段が、筐体１内であってドア９側から見てドラム３の回転軸に対し右上に設けられており、モータ４によりドラム３を右回りに回転させたり左回りに回転させたりを繰り返しているときに、ドラム３の回転によって持ち上げられた衣類に風を吹きつけて乾燥させる。ここで、上記風を吹きつける手段は、送風ユニット２８と、この送風ユニット２８の吐き出し側に設けられて風を加熱するヒータＡ３１と、ヒータＡ３１の下流に設けられた温風吹き出し口３２と、これらを接続する風路とで構成されている。
【００３１】
本実施例におけるドラム式洗濯乾燥機は、洗濯コース（洗濯運転）、乾燥コース（乾燥運転）、及び洗濯・乾燥コース（洗濯・乾燥運転）が全自動コースとして設定されている。
【００３２】
洗濯コースは、洗い行程とすすぎ行程とを行う洗濯処理と、脱水行程を行う脱水処理とを順に実行するコースである。
【００３３】
ドラム式洗濯乾燥機９９では、洗い行程、すすぎ行程、及び脱水行程からなる洗濯コースが設定されており、洗濯コースの中でもドラム３に投入された衣類に与える機械力が異なる複数種類のコースがある。例として、洗濯コースには「標準」、「おいそぎ」、「念入り」、「柔らか」、「毛布」の５つが設定されている。
【００３４】
乾燥コースは、乾燥処理（乾燥行程）を実行するコースであり、該乾燥処理で実行される乾燥行程の行程内容が異なる複数種類のコースが設定されている。例として、「標準」、「毛布」、「低温」、「静止乾燥」、「消臭除菌」の５つの乾燥コースが設定されている。「標準」、「毛布」、「消臭除菌」、「静止乾燥」のコースはヒータＡ３１を強運転とする「高温乾燥」が対応付けられており、「低温」はヒータＡ３１を弱運転とする「低温乾燥」が対応付けられている。
【００３５】
洗濯・乾燥コースは、洗濯処理及び乾燥処理を順に実行するコースであり、上記に示した洗濯コースと乾燥コースとを組み合わせて設定されるコースである。
【００３６】
また、ドラム式洗濯乾燥機では、上記した全自動コース以外にも、洗い行程やすすぎ行程における水量や、洗い行程や脱水行程の実行時間や、すすぎ行程の繰り返し回数などを変更して各行程において設定を使用者の任意とすることができる。
【００３７】
このようなドラム式洗濯乾燥機では、ＪＩＳ L ０００１に規定された繊維製品の取扱いに関する表示記号（以下、単に「表示記号」ということもある）が、ドラム式洗濯乾燥機で実行する処理とその処理で行う行程内容のうち、処理したい衣類が損傷する恐れのあるようなコースおよび行程を設定不可能として対応付けて制御装置３８に設けられた記憶部であるメモリ（不図示）に記憶されている。この制御部である制御装置は、表示記号読み込み装置６５から得た表示記号の情報に対応する処理及び行程内容をメモリから取得し、取得した処理及び行程内容を設定する。なお、以下に述べる「記号番号」とは、ＪＩＳ L ０００１において表示記号毎に規定された番号のことである。この記憶部であるメモリには、表示記号の情報と、その表示記号の情報に対応する設定不可能な内容（コース、行程）と、が対応付けられたテーブルが記憶されている。本実施例では、設定不可能な内容としたが、設定可能な内容を対応付けて記憶されても良い。このメモリ内に記憶されたテーブルの一例を図５に示す。
【００３８】
詳細には、図４（ａ）に例示するように、記号番号１３０，１３１，１３２，１４０，１４１，１４２，１１０，１００の複数の洗いとすすぎに関する表示記号が、設定不可能な洗濯コース及び行程内容と対応付けられて制御装置３８内のメモリに記憶されている。
【００３９】
脱水処理には、図４（ｂ）に例示するように、記号番号４４０，４４５，４３０，４３５，４２０，４２５，４１０，４１５の複数の脱水に関する表示記号が、設定不可能なコース及び行程内容と対応付けて制御装置３８内のメモリに記憶されている。
【００４０】
乾燥処理には、図４（ｃ）に例示するように、記号番号３２０，３１０，３００の複数のタンブル乾燥に関する表示記号が、設定不可能な乾燥コース及び乾燥行程の内容と対応付けられて制御装置３８内のメモリに記憶されている。
【００４１】
図５を用いて、いくつか具体例を説明する。洗濯表示記号１３０は、水温３０℃を限度に洗濯機で洗えることが示された記号であり、設定不可能な洗濯コースは対応付けられておらず、全ての洗濯コースが設定可能である。しかし、洗濯処理（洗い行程及びすすぎ行程）において設定不可能な行程内容として、ふろ水「使用可」が対応付けられているため、ふろ水を洗濯に使用することは推奨されない。また、洗濯表示記号１００は、家庭洗濯処理ができない記号であり、全ての洗濯コースが設定不可能なコースとして対応付けられている。
【００４２】
脱水表示記号４３０は、脱水せずに濡れたまま、吊り干しする記号であり、「おいそぎ」、「念入り」、「毛布」が設定不可能な洗濯コースとして対応付けられており、脱水行程において脱水時間「２〜９分」が設定不可能な行程内容として対応付けられている。
【００４３】
タンブル乾燥表示記号３１０は、排気温度６０℃を上限に、タンブル乾燥できる記号であり、「消臭除菌」が設定不可能なコースとして対応付けられ、「標準」、「毛布」、「静止乾燥」は乾燥行程において設定不可能な行程内容として「高温乾燥」が対応付けられている。また、乾燥表示記号３００は、タンブル乾燥処理ができない記号であり、全ての乾燥コースが設定不可能なコースとして対応付けられている。
【００４４】
この図５のようなテーブルを予め記憶させておくことで、例えば、使用者が「表示記号の情報」を読み込んだ場合、そのテーブルに基づいて、設定不可能な内容を使用者へ、音声やＬＥＤの点滅などで報知したり、設定不可能な内容は選択出来ないようにしても良い。ただし、これらの制限は任意に解除できるようにしても良い。例えば、制限解除するボタンやスイッチを備え、そのボタンやスイッチを押すと読み込んだ情報にて制限された操作が解除され、脱水時間を延長するなど、使用者が手動で設定しなおすことを可能としても良い。
【００４５】
次に、上記構成のドラム式洗濯乾燥機の代表的な動作について説明する。電源スイッチ１１を投入後、「取り扱い表示を読む」操作スイッチ１５を押すと表示記号読み込みモードがＯＮとなり、制御装置３８は表示記号読み込み部である表示記号読み込み装置６５を起動する。使用者は処理したい衣類についている表示記号を表示記号読み込み装置６５へかざし、表示記号の情報を読み込む。その情報をもとに洗濯コース、乾燥コース、洗濯乾燥コースそれぞれにおいて設定不可能のコースとして対応付けられているコースを制御装置３８がメモリと照合することで割りだし、設定不可能なコースとして対応付けられているコースの表示を操作表示制御装置６１から非表示とする。使用者が、操作表示制御装置６１に表示されているコースの中から行いたい全自動コースのスイッチ、例えば洗濯コースのスイッチ（不図示）を押下すると、洗濯コースの中から設定可能なコースが操作表示制御装置６１に表示される。使用者がコースを選択し、操作スイッチ１２を押下すると、洗濯行程がスタートする。
【００４６】
なお、コースを選択後、洗い行程の時間だけ延長したい場合は、表示記号が設定可能とする範囲で修正は可能である。
【００４７】
また、洗濯コースの全コースが設定不可能なコースとして対応付けられている場合は、操作表示制御装置６１で洗濯不可の表示を行う。
【００４８】
上記した実施例では、表示記号としてＪＩＳ Ｌ ０００１に規定された表示記号を採用する場合について説明したが、表示記号としてＪＩＳＬ ０２１７などの他の規格に基づく表示記号であってもよい。
【００４９】
次に、他の実施例について説明する。なお、上記実施例と同一の部分については省略し、異なる部分について説明する。
【００５０】
上記した実施例では表示記号読み込み装置６５が組み込まれている場合について説明したが、表示記号読み込み装置６５は、ドラム式洗濯乾燥機に組み込まれていない場合でも良い。ドラム式洗濯乾燥機は、外部機器と通信可能な通信部である通信装置６６を備えていて、電源スイッチ１１を投入し、「取り扱い表示を読む」操作スイッチ１５を押下後、表示記号読み込みモードをＯＮとし、通信装置６６が外部機器との通信を開始する。外部機器の例としてスマートフォンのカメラ機能を使用することで、処理したい衣類等の繊維製品の取り扱いに関する表示記号の識別が可能な表示記号を情報端末であるスマートフォンへ読み込む。スマートフォンで読み込んだ表示記号の情報を、通信装置６６を用いて制御装置３８へ送信する。制御装置３８はメモリに記憶している情報（図５のテーブルに記載の情報）とスマートフォンから送られてきた情報を照合し、洗濯コース、乾燥コース、洗濯乾燥コースそれぞれにおいて設定不可能なコースとして対応付けられているコースを割り出し、設定不可能なコースとして対応付けられているコースの表示を操作表示制御装置６１から非表示とする。以降は第１実施例と同様である。
【００５１】
以上により、ドラム式洗濯乾燥機に表示記号読み込み装置６５が組み込まれないため、ドラム式洗濯乾燥機への表示記号読み込み装置６５の取り付け場所を考慮する必要がなくなる。また、表示記号を読み込ませるために処理したい衣類を持ち上げて表示記号読み込み装置６５へかざす必要がなく、処理したい衣類へスマートフォンのような読み込み可能な外部機器を近づけるだけで良いため、より使用者の身体への負担を少なくし、処理したい衣類に表示されている表示記号の情報を衣類の処理へ反映することができる。
【００５２】
また、衣類の取り扱い表示記号が規格上変更となった場合、通信装置６６をインターネットと接続することでメモリが記憶している情報を更新することもできる。
【００５３】
また、読み込んだ表示記号に全コースが設定不可能なコースとして対応付けられている場合は、洗濯不可とスマートフォンに表示するか、操作表示制御装置６１で洗濯不可の表示を行う。またはそのどちらも行う形態であっても良い。
【００５４】
上記した他の実施例では、スマートフォンにて読み込んだ表示記号の情報を通信装置６６を経由し制御装置３８へ送信し、メモリに記憶している情報と照合する形態をとっているが、メモリを持たない形態としても良い。
【００５５】
スマートフォン上で衣類の表示記号を読み込むと、スマートフォン上のアプリケーションが表示記号の情報を分析し、洗濯コース、乾燥コース、洗濯乾燥コースそれぞれにおいて設定不可能なコースとして対応付けられているコースを割り出す。そしてアプリケーションが割り出した表示記号に設定不可能なコースとして対応付けられているコースを、通信装置６６により制御装置３８が受け取り、操作表示制御装置６１から設定不可能なコースとして対応付けられているコースの表示を消すことができる。以降は上記した各実施例と同様である。
【００５６】
なお、電源投入後から好みのコースの選択および行程をスタートさせる操作もスマートフォン上で行える形態であっても良い。
【００５７】
また、メモリが記憶していない衣類の取り扱い表示またはアプリケーション上に記憶済みの表示記号がない場合、例えば日本国外の衣類の取り扱い表示や、新規格の制定がされた場合には、通信装置６６をインターネットに接続し、メモリの情報を更新するか、アプリケーションをバージョンアップすることで対応することもできる。つまり、メモリに記憶された、表示記号の情報とその表示記号の情報に対応する処理及び行程内容は、通信部である通信装置６６を介して、更新することで対応できる。
また、上記実施例において表示記号読み込みモードＯＮの状態で、使用者が設定不可能なコースなどの処理および行程として対応付けられている設定へと変更しようとした場合、ブザーや操作表示制御装置６１にて衣類を傷める危険があることを報知した上で変更できるようにする。つまり、表示記号の情報の中には、処理できない表示記号の情報を有し、そのような処理できない表示記号の情報が読み込まれた場合、処理ができないことを報知することとする。またはスマートフォン上の画面等で報知した上で変更できる形態であっても良い。「取り扱い表示を読む」スイッチ１５を再度押下するか、スマートフォンのアプリケーション上で表示読み込みモードをＯＦＦに設定することで、表示読み込み装置６５またはスマートフォンからの情報を削除すれば、衣類を傷める危険を知らせる報知はなく、通常通り使用者の好みのコースで運転することもできる。
【００５８】
また、表示記号読み込みモードＯＮとしてから、複数の衣類の表示記号を読み込ませる場合、図４に示す表示記号１３０と表示記号１４１のように水温や機械力の指定が異なる表示記号が読み込まれる場合があるが、操作表示制御装置６１から設定不可能なコースとして対応付けられているコースを非表示とする仕様としているため、どちらか一方でも設定不可能なコースとして対応付けられているコースが存在する場合は、操作表示制御装置６１に表示されず選択不可となる形態であっても良い。
【００５９】
以上により、衣類の取り扱い表示を識別可能な読み込み装置を用いるか、スマートフォン等の外部機器を利用して衣類の取り扱い表示を読み込むことで、使用者がより簡単に衣類の損傷を最小限に抑える処理を設定することができる。
【符号の説明】
【００６０】
１  筐体
２  外槽
３  ドラム
４  モータ
６  操作パネル
７  洗剤容器
９  ドア
１４  表示器
１６  給水ホース接続口
１７  風呂水給水ホース接続口
３８  制御装置
６１  操作表示制御装置
６５  表示記号読み込み装置
６６  通信装置
【図１】
2020146181.tif 000003
【図２】
2020146181.tif 000004
【図３】
2020146181.tif 000005
【図４】
2020146181.tif 000006
【図５】
2020146181.tif 000007